(57)【要約】  【課題】  竿掛け具に掛けられた物干し竿があるベランダにおいて、ベランダのスペースを少なくすることなく、物干し空間を確保できる物干し具を提供する。  【解決手段】  ベランダ２の手摺５にある竿掛け具４に掛けられた基部物干し竿３に取り付ける物干し具であって一対の支持体１９から構成される。その支持体１９は、上部域に上部物干し棒材１１と係合する上部係合部１２を備えるとともに下部域に基部物干し竿３と係合する下部係合部１３を備えた複数の長形の支材１４と、複数の支材１４の中間域に設けられた第１連結部１５において連結角度を変えられるように複数の支材１４を連結する連結具１６と、第１連結部１５より下側の第２連結部１７において連結具１６によって支材に連結され、下部域に基部物干し竿３と係合する下部係合部１３を備えた枝分かれ脚材１８とを有している。【選択図】  図３
2006122152.tif 000002
【特許請求の範囲】
【請求項１】
ベランダなどの手摺にある竿掛け具に掛けられた基部物干し竿に取り付ける物干し具であって、
上部域に上部物干し棒材と係合する上部係合部を備え、下部域に基部物干し竿と係合する下部係合部を備えた複数の長形の支材と、
複数の支材に設けられた第１連結部で連結角度を変えられるように複数の支材を連結する連結具と、
第１連結部より下側の第２連結部において連結具によって支材に連結され、下部域に基部物干し竿と係合する下部係合部を備えた枝分かれ脚材と、
を備えた支持体を少なくとも一対有しており、
支材、枝分かれ脚材の下部係合部を、竿掛け具に掛けられた基部物干し竿へ取り付け、対応する各上部係合部に上部物干し棒材を係合させることによって上部物干し棒材を基部物干し竿の上方に支持できるように構成したことを特徴とする、物干し具。
【請求項２】
ベランダなどの手摺にある竿掛け具に掛けられた基部物干し竿に取り付ける物干し具であって、
上部域に上部物干し棒材と係合する上部係合部を備え、下部域に基部物干し竿と係合する下部係合部を備えた複数の長形の支材と、
複数の支材に設けられた第１連結部で連結角度を変えられるように複数の支材を連結する連結具と、
支材から分岐するように下方に延びて、その下部域に基部物干し竿と係合する下部係合部を備えた枝分かれ脚材と、
を備えた支持体を少なくとも一対有しており、
支材、枝分かれ脚材の下部係合部を、竿掛け具に掛けられた基部物干し竿へ取り付け、対応する各上部係合部に上部物干し棒材を係合させることによって上部物干し棒材を基部物干し竿の上方に支持できるように構成したことを特徴とする、物干し具。
【請求項３】
ベランダなどの手摺にある竿掛け具に掛けられた基部物干し竿に取り付ける物干し具であって、
上部域に上部物干し棒材と係合する上部係合部を備え、下部域に基部物干し竿と係合する下部係合部を備えた複数の長形の支材と、
複数の支材に設けられた第１連結部で連結角度を変えられるように複数の支材を連結する連結具と、
を備えた支持体を少なくとも一対有しており、
下部係合部は、基部物干し竿への取付時に支材の横方向の振れを防止するように基部物干し竿の長手方向に沿った長尺形の下部係合部となっており、
支材の下部係合部を、竿掛け具に掛けられた基部物干し竿へ取り付け、対応する各上部係合部に上部物干し棒材を係合させることによって上部物干し棒材を基部物干し竿の上方に支持できるように構成したことを特徴とする、物干し具。
【請求項４】
請求項１に記載の物干し具において、支材及び枝分かれ脚材を管体で構成し、第１連結部及び第２連結部を、管体を扁平にした部分を重ねて連結具で固定できるように構成し、さらに第１連結部の扁平方向と第２連結部の扁平方向が同一平面上にないように構成した、物干し具。
【請求項５】
請求項１ないし請求項４のいずれか一項に記載の物干し具において、下部係合部を基部物干し竿に外嵌する剛体の筒体で構成した、物干し具。
【請求項６】
請求項１ないし請求項４のいずれか一項に記載の物干し具において、下部係合部を締め付け可能な輪形締結具で構成した、物干し具。
【請求項７】
請求項１ないし請求項６のいずれか一項に記載の物干し具において、上部係合部を入口が広く曲線形の挿入路を備えた受体で構成した、物干し具。
【発明の詳細な説明】
【技術分野】
【０００１】
本発明は物干し具に関し、特にベランダなどにおいて使用する場合に好適な物干し具に関する。
【背景技術】
【０００２】
従来から物干し具が多数提案されている。
例えば、特許文献１には、ベランダやフェンスの手摺に引掛たり、壁面の上部に引掛けたりして使用する小物干し具が開示されている。
特許文献２、特許文献３には基台に立設された支柱に放射状の骨片を取り付けた放射状立設型物干し具が開示されている。
特許文献４、特許文献５には、ベランダ等の手摺等に固着される支持部と、その支持部に着脱自在に取り付けられた腕杆とを有した竿掛け具が開示されている。現在、このような竿掛け具はマンションなどのベランダに広く採用されている。
【０００３】
【特許文献１】実公昭６２−３１１６「小物干し具」
【特許文献２】実開昭５４−１１５２２１「回転式簡易物干」
【特許文献３】実開昭５２−４８５３５「干物具」
【特許文献４】実開昭６２−１１５８９６「ベランダ等の物干し用竿掛け具」
【特許文献５】特開昭６２−１６１３９９「主としてベランダ等に好適する物干し用竿掛け具」
【発明の開示】
【発明が解決しようとする課題】
【０００４】
上記従来技術であれば下記のような課題がある。
（Ａ）上記竿掛け具はベランダの手摺上面よりも低い位置に設けられる構成が一般的であるから、ズボンなどの丈の長い洗濯物は丈を延ばしたままの長い状態で干すことができないという課題がある。
（Ｂ）特許文献１に開示された小物干し具の構成では、軽量で幅の狭い洗濯物しか干せないうえに、特許文献４、特許文献５に開示されたような竿掛け具が取り付けられたベランダでは、小物干し具を取り付ける手摺内壁面のスペースを確保するのが難しいという課題がある。
【０００５】
（Ｃ）特許文献２、特許文献３に開示された放射状立設型物干し具の場合は、洗濯物を干す部分が放射状に延びる骨片であるために、バスタオル、毛布、布団用シーツなどの幅の長い洗濯物は干すのが難しいうえに、そのような放射状立設型物干し具をベランダに設けることにより、ベランダのスペースが狭くなってしまうという課題がある。
さらに、多数の洗濯物を干した状態で強風が吹いた場合などに放射状立設型物干し具が倒れてしまうことを防止するために放射状立設型物干し具の基台はある程度、大型化・重量化しなければならないため、販売価格が高くなるとともに、放射状立設型物干し具の載置に手間がかかるという課題もある。
【０００６】
（Ｄ）特許文献４、特許文献５に開示されたような竿掛け具はベランダに複数本の物干し竿を平行に横架した状態とすることができ、幅の長い洗濯物であっても安定して干すことができる利点がある。
しかしながら、竿掛け具に掛け渡した複数本の物干し竿だけでは、多量の洗濯物を干すには物干し空間が少ないものである。このため、複数本の物干し竿を平行に横架したベランダの残りスペースに上記放射状立設型物干し具などの他の物干し具を設置したりしている場合が多い。このような使用状態では、他の物干し具を設けることによって竿掛け具に掛けられた物干し竿の使い勝手、機能が損なわれることが多いうえに、ペランダの利用空間が減少してしまうという課題がある。
【０００７】
本発明は上記課題に鑑みてなされたものであり、本発明の目的は、上記課題を解決できる、物干し具を提供することにある。
具体的な目的の一例を示すと、以下の通りである。
（ａ）ズボンなどの丈の長い洗濯物を丈が長いままの状態で干すことができる物干し具を提供する。
（ｂ）前記竿掛け具に掛けられた物干し竿と同様に幅の長い洗濯物を干すことができる物干し具を提供する。
（ｃ）前記竿掛け具に掛けられた物干し竿があるベランダにおいて、ベランダのスペースを少なくすることなく、物干し空間を確保できる物干し具を提供する。
（ｄ）前記竿掛け具に掛けられた物干し竿の使い勝手、機能を損なうことなく、十分な物干し空間を確保できる物干し具を提供する。
（ｅ）主にベランダ用に使用され、軽量かつ安価に製造、販売できる物干し具を提供する。
なお、上記に記載した以外の発明の課題及びその解決手段は、後述する明細書内の記載において詳しく説明する。
【課題を解決するための手段】
【０００８】
本発明は多面的に表現できるが、例えば、代表的なものを挙げると、次のように構成したものである。
第１発明の物干し具は、ベランダなどの手摺にある竿掛け具に掛けられた基部物干し竿に取り付ける物干し具であって、
上部域に上部物干し棒材と係合する上部係合部を備え、下部域に基部物干し竿と係合する下部係合部を備えた複数の長形の支材と、
複数の支材に設けられた第１連結部で連結角度を変えられるように複数の支材を連結する連結具と、
第１連結部より下側の第２連結部において連結具によって支材に連結され、下部域に基部物干し竿と係合する下部係合部を備えた枝分かれ脚材と、
を備えた支持体を少なくとも一対有しており、
支材、枝分かれ脚材の下部係合部を、竿掛け具に掛けられた基部物干し竿へ取り付け、対応する各上部係合部に上部物干し棒材を係合させることによって上部物干し棒材を基部物干し竿の上方に支持できるように構成したことを特徴とする。
【０００９】
第２発明の物干し具は、ベランダなどの手摺にある竿掛け具に掛けられた基部物干し竿に取り付ける物干し具であって、
上部域に上部物干し棒材と係合する上部係合部を備え、下部域に基部物干し竿と係合する下部係合部を備えた複数の長形の支材と、
複数の支材に設けられた第１連結部で連結角度を変えられるように複数の支材を連結する連結具と、
支材から分岐するように下方に延びて、その下部域に基部物干し竿と係合する下部係合部を備えた枝分かれ脚材と、
を備えた支持体を少なくとも一対有しており、
支材、枝分かれ脚材の下部係合部を、竿掛け具に掛けられた基部物干し竿へ取り付け、対応する各上部係合部に上部物干し棒材を係合させることによって上部物干し棒材を基部物干し竿の上方に支持できるように構成したことを特徴とする。
【００１０】
第３発明の物干し具は、ベランダなどの手摺にある竿掛け具に掛けられた基部物干し竿に取り付ける物干し具であって、
上部域に上部物干し棒材と係合する上部係合部を備え、下部域に基部物干し竿と係合する下部係合部を備えた複数の長形の支材と、
複数の支材に設けられた第１連結部で連結角度を変えられるように複数の支材を連結する連結具と、
を備えた支持体を少なくとも一対有しており、
下部係合部は、基部物干し竿への取付時に支材の横方向の振れを防止するように基部物干し竿の長手方向に沿った長尺形の下部係合部となっており、
支材の下部係合部を、竿掛け具に掛けられた基部物干し竿へ取り付け、対応する各上部係合部に上部物干し棒材を係合させることによって上部物干し棒材を基部物干し竿の上方に支持できるように構成したことを特徴とする。
【００１１】
第４発明は、第１発明において、支材及び枝分かれ脚材を管体で構成し、第１連結部及び第２連結部を、管体を扁平にした部分を重ねて連結具で固定できるように構成し、さらに第１連結部の扁平方向と第２連結部の扁平方向が同一平面上にないように構成したことを特徴とする。
第５発明の物干し具は、第１発明ないし第４発明のいずれか一つに記載の発明において、下部係合部を基部物干し竿に外嵌する剛体の筒体で構成したことを特徴とする。
【００１２】
第６発明は、第１発明ないし第４発明のいずれか一つに記載の発明において、下部係合部を締め付け可能な輪形締結具で構成したことを特徴とする。
第７発明は、第１発明ないし第６発明のいずれか一つに記載の発明において、上部係合部を入口が広く曲線形の挿入路を備えた受体で構成したことを特徴とする。
【００１３】
第８発明は、第１発明又は第４発明において、枝分かれ脚材を第２連結部において左右どちら側からも取り付けることができるように、第２連結部における連結具の挿通角度を設定したことを特徴とする。
第９発明は、第１発明において、支材及び枝分かれ脚材を管体で構成し、それらの連結部を、管体を扁平にした部分を重ねて連結具で固定できるように構成したことを特徴とする。
【００１４】
第１０発明は、第１発明ないし第９発明のいずれか一つに記載の発明において、上部係合部を上側が開いた上部物干し棒材の受体で構成したことを特徴とする。
第１１発明は、第１発明ないし第６発明、第８発明、第９発明のいずれか一つに記載の発明において、上部係合部を締め付け可能な輪形締結具で構成したことを特徴とする。
【００１５】
第１２発明は、第１発明ないし第１１発明のいずれか一つに記載の発明において、支材の第１連結部から上部係合部までの長さを複数の支材で異ならせ、段違いに上部物干し棒材を横架できるように構成したことを特徴とする。
第１３発明は、第１発明ないし第４発明、第７発明ないし第１２発明のいずれか一つに記載の発明において、下部係合部を挟持具で構成し、その挟持具は、バネ材によって一対の挟持部材を締まる方向に付勢されることによって基部物干し竿にしっかり固定できるように構成してあることを特徴とする。
【００１６】
以下、上記第１発明〜第１３発明の各構成について説明する。
第１発明が取り付けられる竿掛け具としては、ベランダなどの手摺内壁面に固着される支持部と、その支持部に取り付けられる腕杆とを有しており、その腕杆には、複数の開口を備えた竿掛け具を採用することが好ましい。
第１発明において、下部係合部は、物干し具が物干し竿に立設状態で安定して支持できる構成であれば、その下部係合部の構成は特に限定されない。
第１発明において、上部物干し棒材としては、市販の物干し竿や、本発明に係る物干し具専用に製造された物干し用の棒材などが採用できる。
【００１７】
第２発明において、第１連結部は上部域に設けられる構成や、中間域に設けられる構成が例示できる。上部域に設けられる場合は、支持体の外観形状は略Λ字形になり、中間域に設けられる場合は、支持体の外観形状は略Ｘ字形となる。
第３発明において、第１連結部は上部域に設けられる構成や、中間域に設けられる構成が例示できる。
第１０発明において、『上側が開いた上部物干し棒材の受体』としては半筒状の受体や、Ｕ字形の受体が例示できる。
【発明の効果】
【００１８】
以下、各発明の効果などについて説明する。
第１発明であれば、下記（イ）〜（ト）の特有の効果を有する。
（イ）基部物干し竿の上方に上部物干し棒材を設置できるので、ズボンなどの丈の長い洗濯物を長いままの状態で干すことができる
（ロ）上部係合部に上部物干し棒材を掛け渡すことができるので、竿掛け具に掛けられた基部物干し竿と同様に毛布のような幅の長い洗濯物でも干すことができる。
（ハ）ベランダに取り付けられた竿掛け具の上方は通常は使用できない空間であるが、本発明の物干し具であれば、そのようなデットスペースを物干し空間として有効利用することができる。したがって、竿掛け具に掛けられた基部物干し竿があるベランダにおいて、ベランダのスペースを少なくすることなく、かつ竿掛け具に掛けられた物干し竿の使い勝手、機能を損なうことなく、十分な物干し空間を確保できる物干し具を提供できる。
（ニ）第１連結部において各支材を閉じた状態又は各支材を取り外した状態にすることができるので、輸送時、保管時などに物干し具の占有スペースが小さくなり、取り扱いやすいと共に結果的に販売価格を低く抑えることができる。
（ホ）既存の竿掛け具に掛けられた基部物干し竿を使用するので、放射状立設型物干し具のような大型かつ重量の大きい基台が不要になり、広い物干し空間を確保できるのにも係わらず、軽量かつ安価な物干し具を提供することができる。
（ヘ）第１連結部で連結角度を変えられるように複数の支材を連結する連結具を備えているので、下部係合部が係合する基部物干し竿の幅がベランダ毎に異なっている場合でも連結角度を調整することにより本発明に係る物干し具の取り付けが可能になる。
（ト）複数の支材の下部係合部と、枝分かれ脚材の下部係合部によって、基部物干し竿に少なくとも三点で固定することができるので、基部物干し竿への固定が三点支持以上となるので、上部物干し棒材を支持体に安定して支持することが可能になる。
【００１９】
第２発明であれば、上記（イ）〜（ト）の特有の効果を有する。
第３発明であれば、上記（イ）〜（ヘ）と下記（チ）の特有の効果を有する。
（チ）下部係合部は、基部物干し竿への取付時に支材の横方向の振れを防止するように基部物干し竿の長手方向に沿った長尺形となっているので、簡単な構成で基部物干し竿上に安定して固定できる物干し具を提供できる。
【００２０】
第４発明であれば、第１連結部の扁平方向と第２連結部の扁平方向が同一平面上にないように構成したことにより、管体の２カ所を扁平に構成しても強度を保持することができるとともに、枝分かれ脚材を支材に連結しやすくなるという利点がある。
第５発明であれば、下部係合部を基部物干し竿に外嵌する剛体の筒体で構成したので、基部物干し竿に外嵌するという簡単な構成でしっかりと支材を基部物干し竿上に取り付けることができる。
【００２１】
第６発明であれば、下部係合部を締め付け可能な輪形締結具で構成したので、基部物干し竿と下部係合部とをしっかり固定できる。
第７発明であれば、入口が広い挿入路としたことにより受体に上部物干し棒材を係合させることが行いやすく、曲線形の挿入路としたことにより、上部物干し棒材が少しぐらい移動しても曲線状に曲がっているので受体から脱落しにくくなる。
第８発明であれば、枝分かれ脚材を第２連結部において左右どちら側からも取り付けることができるので、ベランダにある竿掛け具の配置によらず、物干し具を基部物干し竿に取り付けることが可能になる。
【００２２】
第９発明であれば、支材及び枝分かれ脚材を管体で構成することにより、軽量で強度を保持することができるとともに、連結部を、管体を扁平にした部分を重ねて連結具で固定できるように構成したので、管体を扁平にするという簡単な加工で連結部を構成することができ、本発明に係る物干し具の製造コストを低減できる。
第１０発明であれば、上部係合部を上側が開いた上部物干し棒材の受体で構成したので、上部物干し棒材を上部係合部から外すときに簡単に行いやすいという利点がある。
【００２３】
第１１発明であれば、上部係合部を締め付け可能な輪形締結具で構成したので、上部物干し棒材と上部係合部とをしっかり固定できる。
第１２発明であれば、支材の第１連結部から上部係合部までの長さを複数の支材で異ならせ、段違いに上部物干し棒材を横架できるように構成したので、基部物干し竿上のスペースを物干し用の空間として利用する場合に、高さの低い段と、高い段との２つの上部物干し棒材があるので、洗濯物の丈、大きさに応じて適宜使い分けることができるとともに、高さの違う段があることによって日光や風が当たりやすくなり、乾燥が早くなるという利点がある。
第１３発明であれば、基部物干し竿への下部係合部の着脱が簡単に行える利点がある。
【発明を実施するための最良の形態】
【００２４】
以下、本発明の実施の形態を図面に基づき説明する。
図１（Ａ）（Ｂ）はそれぞれ本発明に係る物干し具の第１実施形態を示す斜視図である。
本実施形態に係る物干し具１は、支持体１９を少なくとも一対有した構成となっている。支持体１９は、上部域に上部物干し棒材（図示せず）と係合する上部係合部１２を備え、下部域に基部物干し竿（図示せず）と係合する下部係合部１３を備えた複数の長形の支材１４と、複数の支材１４に設けられた第１連結部１５で連結角度を変えられるように複数の支材１４を連結する連結具１６と、第１連結部１５より下側の第２連結部１７において連結具１６によって支材１４に連結され、下部域に基部物干し竿と係合する下部係合部１３を備えた枝分かれ脚材１８とを備えている。
【００２５】
支材１４は基本的に上部物干し棒材を支える部材としての機能を満足すれば、その形状、材質は特に限定されない。
本実施形態の下部係合部１３は、図２に示すように鋼製などの筒体３１の直径を小さくしていくことにより基部物干し竿３に締結固定する輪形締結具２０で構成された場合が示してある。筒体３１は締め操作部材３２によって直径を小さく操作されることによって基部物干し竿３にしっかりと固定される。なお、通常、下部係合部１３は支材１４の下端位置に設けられるが、下端でなく下部側位置に設ける構成も採用できる。
【００２６】
図１に示すように支材１４の上部域に設けられる上部係合部１２は、物干し具１に上部物干し棒材を固定又は支持する部位であり、上部物干し棒材を安定して支持できる構成であれば、特に限定されない。図１においては上部係合部１２を前記輪形締結具２０で構成した例が示してある。上部係合部１２は前記第１０発明に記載したように、上部物干し棒材を載置する受体で構成することも可能である。
【００２７】
図１（Ａ）は支材１４の第２連結部１７において一方側（左側と称する）から枝分かれ脚材１８を取り付けた状態の図であり、図１（Ａ）は支材１４の第２連結部１７において他方側（右側と称する）から枝分かれ脚材１８を取り付けた状態の図である。つまり、本第１実施形態においては、枝分かれ脚材１８の取り付け方によって、図１（Ａ）の状態でも、図１（Ｂ）の状態でもどちらでも取り得ることになる。このような構成とすることによって、ベランダの端部スペースが少なく、右側、左側のどちらか一方のみの方向でないと、枝分かれ脚材１８を取り付けることができない場合であっても、適宜、枝分かれ脚材１８をその一方のみの方向から基部物干し竿３に取り付けることができる。
【００２８】
図３は物干し具をベランダの物干し支持具に取り付けた構成を示す図、図４は物干し具の要部拡大斜視図である。
図３、図４に示すように第１実施形態に係る物干し具１は、マンションなどのベランダ２に平行に横架される複数の物干し竿３に取り付けられる物干し具１となっている。
【００２９】
図３、図４に示す構成では、竿掛け具４は、ベランダ２等の手摺５等に固着される支持部６と、その支持部６に回動自在に取り付けられた腕杆７とを有しており、腕杆７には竿掛け部８が形成してある。竿掛け部８は基部物干し竿２が挿通できる複数の開口９（通常は２個〜４個程度）によって構成した実施形態が示してある。開口９を備えた竿掛け具４とすることにより、本実施形態に係る物干し具１が竿掛け具４から脱落することが構造的に難しくなるので、本物干し具１を取り付けるときは、開口９を備えた竿掛け具４を採用することが好ましい。
【００３０】
また、竿掛け具４は、腕杆７を支持部６に対して回動させることにより、手摺５の内壁面１０に対して直角に立設した使用状態と内壁面１０に対してほぼ平行になった状態とを取り得るように構成してあり、その竿掛け具４に２本の基部物干し竿３が取り付けられた構成が示してある。
【００３１】
竿掛け具４の開口９に基部物干し竿３を挿通した状態では、複数の基部物干し竿３はベランダ２の地面からの高さが同じになり、互いにそれらの基部物干し竿２は平行状態で架け渡すように設けられることになる。
本実施例に係る物干し具１は、前記支持体１９を一対、即ち２個以上、基部物干し竿３に固定することにより使用される。つまり、上部係合部１２に係合される上部物干し棒材１１を基部物干し竿３上で両持ち構造で支持することにより、洗濯物を干す空間を確保するのである。
【００３２】
次に連結部について説明する。
図３、図４に示すように、第１連結部１５は複数の支材１４をその連結角度が変えられるように連結するもので、基部物干し竿３への下部係合部１３の取付け作業時に下部係合部１３の間隔を各ベランダの基部物干し竿３の間隔に合わせて変化できるようにするために構成してある。
【００３３】
第１連結部１５の位置は、この第１実施形態においては、支材１４の中間域に設けられ、第１連結部１５によって各支材１４がＸ字形に連結される。
図４に示すように、この第１実施形態では、支材１４は鋼管で構成され、中間域に扁平な部分を作ることによって第１連結部１５を構成してある。また、その第１連結部１５よりも下側位置に第１連結部１５の扁平面に対して直交する方向に扁平面を持つ第２連結部１７が構成してある。
【００３４】
第１実施形態に係る第１連結部１５、第２連結部１７はそれぞれ鋼管の扁平にされた部分を重ねて連結軸２２で回動自在に連結した構成となっている。第１連結部１５の扁平面は、下部係合部１３が基部物干し竿３に取り付けられたときに、その扁平面を含む平面が基部物干し竿３と直交する方法に設けられる構成が一般的である。
また、第２連結部１７の扁平面は第１連結部１５の扁平面と直交する平面内に含まれるように構成される。さらにそれぞれの扁平面は上部物干し棒材を支持する管材としての十分な強度を維持できる扁平度に設定される。
【００３５】
図４に示すように、第１連結部１５は連結具１６によって複数の支材１４を回動自在に連結する部分であり、連結具１６は例えば、連結軸２２としてのボルト２３と止ナット２４で構成されている。そして、基部物干し竿３の間隔に対応させて管支材１４の開き角度を合わせた後、連結具１６で互いの扁平部を固定することによって支持体１９の立設構造を作るようになっている。
【００３６】
少なくとも一方側の支材１４に設けられる第２連結部１７は、枝分れ脚材１８を連結角度を変えて連結する部分であり、第２連結部１７もボルトと止ナットで構成してある。そして、一方の支材１４の下部係合部１３を挿通する基部物干し竿３が枝分れ脚材１８の下部係合部１３も挿通できるように角度θで固定可能なように構成してある。角度θは４５゜程度にすることが好ましい。
枝分れ脚材１８を設けることにより、２つの支材１４と枝分れ脚材１８とで少なくとも３点支持構造になり、２つの支材１４が基部物干し竿３の長さ方向に倒れることを防止することができる。
【００３７】
さらに、前記したように本実施形態では、枝分かれ脚材１８を第２連結部１７において左右どちら側からも取り付けることができるように、支材１４の第２連結部１７の連結具１６の挿通角度を設定してある。具体的には、連結具１６の連結軸２２が左右両側から取り付けても回動できるように支材１４に対して直交するように設定されている。
なお、本実施形態において、枝分れ脚材１８を各支材１４に一つずつ設け、支持体１９において合計４本足の構成にすることも可能である。
【００３８】
（第２実施形態）
図５は本発明の物干し具に係る第２実施形態を示す斜視図である。
この第２実施形態の特徴は、以下の通りである。
（１）支材１４の下部域が末広がり構造（図二では二股構造）となった支材１４を使用している。したがって、第１実施形態のような枝分れ脚材を取り付ける第２連結部は不要となる。図５に示す構成では、支材１４から分岐するように下方に延びて、その下部域に基部物干し竿３と係合する下部係合部１３を備えた枝分かれ脚材１８が形成されていることになる。
【００３９】
（２）２本の支材１４が第１連結部１５において連結具により、回動自在に連結されている点は第１実施形態と同じである。
（３）長い支材１４に形成された上部係合部１２（図６（Ａ）参照）、短い支材１４に形成された上部係合部１２（図６（Ｂ）参照）は、それぞれ、入口２５が広く曲線形の挿入路２６を備えた挿入路付きの受体２１で構成してある。図５に示す構成では、前記曲線形は渦巻き形となっている。このように構成することで、上部物干し棒材１１を上部係合部１２に掛けるときに、入りやすく、かつ外れにくいようにすることができる。
【００４０】
（４）支材１４の第１連結部１５から上部係合部１２までの長さを複数の支材１４で異ならせ、段違いに上部物干し棒材１１を横架できるように構成してある。なお、図５に示すように、ベランダの内側、つまり部屋側の支材１４の長さを大きくする方が好ましい。
【００４１】
（第３実施形態）
図７は本発明の物干し具に係る第３実施形態を示す斜視図である。
この第３実施形態の特徴は、以下の通りである。
（１）下部係合部１３は、支材１４の横方向の振れを防止するように基部物干し竿３の長手方向に沿った長尺形とした構成となっている。本実施形態では、長尺形の下部係合部１３の一例として、基部物干し竿３に外嵌する剛体の筒体２７で構成した例が示してある。
このような構成であれば、支持体１９を安定して基部物干し竿３上に固定することが可能になる。
（２）上部係合部１２を上側が開いた略Ｕ字形の受体２１で構成し、その略Ｕ字形の受体２１上に上部物干し棒材１１を載置できるように構成してある。
【００４２】
（第４実施形態）
図８は本発明の物干し具に係る第４実施形態を示す斜視図である。
この第３実施形態の特徴は、以下の通りである。
（１）第１連結部１５が複数の支材１４の上部域、特に図８に示す構成では上端域に連結具によって接続されている。
【００４３】
（２）第１連結部１５より下側の支材１４の所定箇所から上部係合部１２が突設され、その上部係合部１２に上部物干し棒材１１が係合するように構成してある。
なお、この第４実施形態においても、第３実施形態に示したような下部係合部１３に長尺形の下部係合部１３を採用することと、下部域が末広がり構造になった構成等も適宜、組み合わせて採用することができることは言うまでもない。
【００４４】
本発明は、上記実施形態のみならず、上記各発明の要旨において各種の変形を施すことが可能である。
（１）本発明に係る下部係合部としては、前記した輪形締結具、基部物干し竿に外嵌する剛体の筒体以外にも、強力なバネ材等によって洗濯ハサミのように挟持する挟持具、クランプのように把持する把持具などが例示できる。
図９は上記挟持具の一例を示す斜視図であり、挟持具３０はバネ材２９によって一対の挟持部材２８を締まる方向に付勢されており、各挟持部材２８の挟持部分は略半円形に構成されて、基部物干し竿３をしっかり挟持できるように構成してある。一方の挟持部材２８の基部側は支材１４又は枝分かれ脚材１８の端部に溶接等の方法によってしっかりと固定してある。
このような挟持具、把持具を下部係合部１３として設けることで、物干し具の基部物干し竿への取り付けが簡単に行える。挟持具、把持具の取り付け力は台風などの風によって取り付けが脱落しない程度の強力なものにすることが好ましい。
なお、上記挟持具、把持具を本発明に係る上部係合部に採用することも可能である。
【００４５】
（２）上部係合部及び下部係合部を治具なども用いないと外れないように完全に固定する構成を採用することにより、安定性を向上できる。例えば、図３に示す構成を例に取って説明すれば、基部物干し竿に対して左右合計で６点完全固定、上部物干し棒材に対して左右合計で４点完全固定とすれば、基部物干し竿、一対の支持体、及び上部物干し棒材があたかも立方体の骨組みのようになり、安定性を向上させることができる。
（３）支材としては管材に限定されない。また、支材、支持体の外観形状などは適宜、曲線形、流線形などを採用することができる。
（４）各実施形態においても、下部係合部の他の構成として、第３実施形態において説明したような基部物干し竿の外周に外嵌する剛体の筒体を採用することもできる。
（５）各実施形態に開示した第１連結部、第２連結部、連結具の構成は一例に過ぎず、他の構成を有した第１連結部、第２連結部、連結具をそれぞれ採用できる。
【図面の簡単な説明】
【００４６】
【図１】図１（Ａ）（Ｂ）はそれぞれ本発明に係る物干し具の第１実施形態を示す斜視図である。
【図２】図２は下部係合部の一例としての輪形締結具の斜視図である。
【図３】図３は第１実施形態に係る物干し具をベランダの物干し支持具に取り付けた構成を示す図である。
【図４】図４は第１実施形態に係る物干し具の要部拡大斜視図である。
【図５】図５は本発明に係る物干し具の第２実施形態を示す斜視図である。
【図６】図６（Ａ）は長い支材に形成された上部係合部を示す正面図、図６（Ｂ）は短い支材に形成された上部係合部を示す正面図である。
【図７】図７は本発明に係る物干し具の第３実施形態を示す斜視図である。
【図８】図８は本発明に係る物干し具の第４施形態を示す斜視図である。
【図９】図９は挟持具の一例を示す斜視図である。
【符号の説明】
【００４７】
１…物干し具、２…ベランダ、３…基部物干し竿、４…竿掛け具、５…手摺、１１…上部物干し棒材、１２…上部係合部、１３…下部係合部、１４…支材、１５…第１連結部、１６…連結具、１７…第２連結部、１８…枝分かれ脚材、１９…支持体、２０…輪形締結具、２１…受体、２５…入口、２６…挿入路、２７…剛体の筒体、２８…挟持部材、２９…バネ材、３０…挟持具。
【図１】
2006122152.tif 000003
【図２】
2006122152.tif 000004
【図３】
2006122152.tif 000005
【図４】
2006122152.tif 000006
【図５】
2006122152.tif 000007
【図６】
2006122152.tif 000008
【図７】
2006122152.tif 000009
【図８】
2006122152.tif 000010
【図９】
2006122152.tif 000011